【手続補正書】
【提出日】平成17年12月7日(2005.12.7)
【手続補正１】
【補正対象書類名】特許請求の範囲
【補正対象項目名】全文
【補正方法】変更
【補正の内容】
【特許請求の範囲】
【請求項１】
中心キャビテイを規定しているハウジングと、
このハウジングにより規定された前記中心キャビテイ内で回転するように設けられ、自身の中心の周りに間隔を有して配設された複数のアームを有し、これらアーム間に複数の対応空間を規定しているトルクホイールと、
前記対応空間内で回転するように位置され、各々がピボットピンを中心として対応空間内で回転するように設けられた、実質的に等しい複数の燃焼ゲートと、
前記ハウジングにより規定された中心キャビテイ内で前記トルクホイールの両側に位置された１対のカムカットアウトプレートとを具備し、楕円形のカットアウトが、各カットアウトプレートに形成されており、楕円形のカットアウトが燃焼ゲートの移動をガイドするトラックとして機能するように、カムガイドピンが、各燃焼ゲートを貫通し、各カットアウトプレートに形成された楕円形のカットアウト内に受けられており、
１対のシールプレートを具備し、１つのシールプレートは、前記トルクホイールの片側に配置され、夫々の燃焼ゲートに関連したカムガイドピンがシールプレートを通って楕円形のカットアウト内に受けられるように、スロットがこれらシールプレートを通るように形成されており、
前記トルクホイールが回転するのに従って、空気が、前記ハウジングの中心キャビテイの中に吸引され、また、燃料が、ハウジングの前記中心キャビテイの中に導入されて、前記トルクホイールの夫々のアーム間の前記空間の１つに混合燃料を前記燃焼ゲートの１つの近くに生じさせ、前記混合燃料が、楕円形のカットアウトに導かれるように１つの燃焼ゲートの回動並びに外方への動きにより、トルクホイールの連続した回転の間に圧縮され、そして、混合燃料は点火されて、燃焼ガスの急速膨張を生じさせて、トルクホイールの連続した回転を生じさせるトルクを与え、更に、前記楕円形のカットアウトが、前記１つの燃焼ゲートを前記トルクホイールの中心に向かって内方に移動かつ回動させて、燃焼ガスを膨張させ、そして、前記円形のカットアウトが、前記１つの燃焼ゲートを再び外方に移動かつ回動させて、燃焼ガスを排気出口へと導く、内燃機関。
【請求項２】
前記ハウジングとトルクホイールとの間で、前記中心キャビテイ内に位置された外周スリーブを更に具備し、前記トルクホイールと、燃焼ゲートと、シールプレートとは、この外周スリーブ内で回転する一体的な本体として機能する、請求項１の内燃機関。
【請求項３】
前記外周スリーブは、鋳鉄で形成されている請求項２の内燃機関。
【請求項４】
中心キャビテイを規定しているハウジングと、
このハウジングにより規定された前記中心キャビテイ内で回転するように設けられ、自身の中心の周りに間隔を有して配設された複数のアームを有し、これらアーム間に複数の対応空間を規定しているトルクホイールと、
前記対応空間内で回転するように位置され、各々がピボットピンを中心として対応空間内で回転するように設けられた、実質的に等しい複数の燃焼ゲートと、
前記ハウジングにより規定された中心キャビテイ内で前記トルクホイールの両側に位置された１対のカムカットアウトプレートとを具備し、
楕円形のカットアウトが、各カットアウトプレートに形成されており、楕円形のカットアウトが燃焼ゲートの移動をガイドするトラックとして機能するように、カムガイドピンが、各燃焼ゲートを貫通し、各カットアウトプレートに形成された楕円形のカットアウト内に受けられており、
前記トルクホイールが回転するのに従って、空気が、前記ハウジングの中心キャビテイの中に吸引され、また、燃料が、ハウジングの前記中心キャビテイの中に導入されて、前記トルクホイールの夫々のアーム間の前記空間の１つに混合燃料を前記燃焼ゲートの１つの近くに生じさせ、前記混合燃料が、楕円形のカットアウトに導かれるように１つの燃焼ゲートの回動並びに外方への動きにより、トルクホイールの連続した回転の間に圧縮され、そして、混合燃料は点火されて、燃焼ガスの急速膨張を生じさせて、トルクホイールの連続した回転を生じさせるトルクを与え、更に、前記楕円形のカットアウトが、前記１つの燃焼ゲートを前記トルクホイールの中心に向かって内方に移動かつ回動させて、燃焼ガスを膨張させ、そして、前記円形のカットアウトが、前記１つの燃焼ゲートを再び外方に移動かつ回動させて、燃焼ガスを排気出口へと導き、
前記燃焼ゲートの各々は、前記ハウジングの壁に形成された外側燃焼室と協働する、燃焼ゲートの外面にキャビテイを規定して、分割燃焼室を形成しており、前記混合燃料は、この分割燃焼室内で点火される、内燃機関。
【請求項５】
前記分割燃焼室は、通常はほぼ矩形である請求項４の内燃機関。
【請求項６】
前記分割燃焼室は、３：１：１の長さ、幅、高さ比を有する請求項５の内燃機関。
【請求項７】
前記分割燃焼室の容積のほぼ二分の一は、各燃焼ゲートの外面に規定された前記キャビテイの容積である請求項６の内燃機関。
【請求項８】
前記カムガイドピンの各々は、前記カムカットアウトプレートに形成された前記楕円形のカットアウト内に対をなして受けられた４つのブッシュを有し、また、各カットアウトは、カムガイドピンの各々と関連された対をなすブッシュを受けるような急の段部を有し、各対の一方のブッシュが、楕円形のカットアウトの下側壁に当接し、他方のブッシュが、楕円形のカットアウトの上側壁に当接する、請求項１の内燃機関。
【請求項９】
前記シールプレートの各々は、これの外周近くでこれの面に形成され、相互に接続された一連のスロットを有し、細長いシールが、これらスロットの中に、前記シールプレートとトルクホイールとの間の適当なシールを維持するように、受けられている、請求項１の内燃機関。
【請求項１０】
前記細長いシールを前記シールプレートから離れるように付勢するように、所定の間隔を有して前記スロットの中に位置された圧縮ばねを更に具備する請求項９の内燃機関。
【請求項１１】
前記近接した細長いシールを相互接続するように近接した細長いシールの先端部間に介在された星形のシール部材を更に具備する請求項９の内燃機関。
【請求項１２】
前記トルクホイールの各アームは、これの外面に１もしくは複数のスロットを規定しており、前記スロットは、前記スリーブに対してトルクホイールをシールするように、細長いシールを受け入れている、請求項２の内燃機関。
【請求項１３】
前記細長いシールを前記トルクホイールから離れるように付勢するように、所定の間隔を有して前記スロットの中に位置された圧縮ばねを更に具備する請求項１２の内燃機関。
【請求項１４】
前記燃焼ゲートの各々は、これの外面に形成され相互に接続された一連のスロットを有し、これらスロットの各々は、前記細長いシールを受け入れている、請求項１の内燃機関。
【請求項１５】
前記スロットないに所定間隔を有して位置され、前記燃焼ゲートの各々から前記細長いシールを離れるように付勢する圧縮ばねを更に具備する請求項１４の内燃機関。
【請求項１６】
自身の中心の周りに間隔を有して配設される複数のアームを有し、これらアーム間に複数の対応空間を規定しているトルクホイールを、ハウジングにより規定された燃焼室内に回転するように設ける工程と、
実質的に等しい複数の燃焼ゲートを、これら燃焼ゲートの各々がピボットピンを中心として対応空間内で回転するように、そして、これら燃焼ゲートの各々がその外面に、ハウジングの壁に形成された外側燃焼室と協働するキャビテイを形成して、分割燃焼室を形成するように、前記トルクホイールの夫々のアーム間の対応空間内で回転するように位置させる工程と、
各燃焼ゲートを回動させるための手段を、前記トルクホイールが回転するのに従って、前記夫々の対応空間内で、前記ピボットピンを中心として回動させる工程と、
空気が、前記燃焼ゲートのうちの１つの近くの、燃焼室の部分の中に吸引されるように、前記トルクホイールの回転を開始させる工程と、
前記１つの燃焼ゲートの回動と外方への移動とにより、前記トルクホイールの連続回転の間に圧縮される混合燃料を、前記トルクホイールの夫々のアーム間の前記空間の１つの中に生じさせるように、前記燃焼ゲートの１つの近くの、燃焼室の部分に燃料を導入させる工程と、
前記分割燃焼室中の圧縮された混合燃料を点火して、燃焼ガスの急速膨張を生じさせ、前記トルクホイールの連続回転を生じさせるトルクを生じさせて、前記１つの燃焼ゲートを回動かつ前記トルクホイールの中心方向への内方の移動させて、燃焼ガスを膨張させて、前記１つの燃焼ゲートを回動かつ外方への移動させて、燃焼ガスを排気から排出させる、工程とを具備する４ストロークサイクルを果させるための方法。
【請求項１７】
前記各燃焼ゲートを回動させるための手段は、楕円形のカットアウトであり、この楕円形のカットアウトが、前記トルクホイールの回転の間、燃焼ゲートの移動をガイドするトラックとして機能するように、カムガイドピンが、各燃焼ゲートを貫通し、各カットアウトプレートに形成された楕円形のカットアウト内に受けられている、請求項１６の４ストロークサイクルを果させるための方法。
【請求項１８】
前記分割燃焼室は、通常はほぼ矩形である請求項１７の４ストロークサイクルを果させるための方法。
【請求項１９】
前記分割燃焼室は、３：１：１の長さ、幅、高さ比を有する請求項１８のストロークサイクルを果させるための方法。
【請求項２０】
前記分割燃焼室の容積のほぼ二分の一は、各燃焼ゲートの外面に規定された前記キャビテイの容積である請求項１７の４ストロークサイクルを果させるための方法。
【手続補正２】
【補正対象書類名】図面
【補正対象項目名】図２
【補正方法】変更
【補正の内容】
【図２】
2005515344.tif 000001